(57)【特許請求の範囲】
【請求項１】
野生動物による食害や踏み付けから植生植物を保護可能な植生保護空間を植生帯上に形成するための保護部材であって、
前記植生帯上に設置される少なくとも２つの保護パネルを組み合わせてなり、前記少なくとも２つの保護パネルと前記植生帯との間に前記植生保護空間を区画形成可能であり、
前記少なくとも２つの保護パネルのうち一方の保護パネルと他方の保護パネルとは回動可能に連結されており、この連結部を軸として前記保護パネルを回動させることにより、前記保護パネル同士が互いに重なるように折り畳み可能であることを特徴とする保護部材。
【請求項２】
前記保護パネル間の角度を調整することで、前記植生保護空間の高さを変更可能であることを特徴とする請求項１に記載の保護部材。
【請求項３】
当該保護部材と別の保護部材とを回動可能に連結するための連結手段をさらに備えており、
前記連結手段は、前記一方の保護パネルの前記連結部と反対側の端部から突出したリング状又はフック状の突出部（２６）からなり、
当該保護部材の前記突出部が前記別の保護部材の前記保護パネルの前記連結部と反対側の端部の辺（２３ａ）に回動可能に連結されることを特徴とする請求項１又は２に記載の保護部材。
【請求項４】
植生帯上に植生保護空間を形成するための保護部材であって、
前記植生帯上に設置される少なくとも２つの保護パネルを組み合わせてなり、前記少なくとも２つの保護パネルと前記植生帯との間に前記植生保護空間を区画形成可能であり、
前記少なくとも２つの保護パネルのうち一方の保護パネルと他方の保護パネルとは回動可能に連結されており、この連結部を軸として前記保護パネルを回動させることにより、前記保護パネル同士が互いに重なるように折り畳み可能であり、
当該保護部材は、当該保護部材と別の保護部材とを回動可能に連結するための連結手段をさらに備えており、
前記連結手段は、前記一方の保護パネルの前記連結部と反対側の端部から突出したリング状又はフック状の突出部（２６）からなり、
当該保護部材の前記突出部が前記別の保護部材の前記保護パネルの前記連結部と反対側の端部の辺（２３ａ）に回動可能に連結されることを特徴とする保護部材。
【請求項５】
植生を行う植生帯と、請求項１から４のいずれか一項に記載の保護部材を備えてなることを特徴とする植生部材。
【請求項６】
植生を行う植生帯と、複数の請求項１から４のいずれか一項に記載の保護部材とを備えてなり、この保護部材は、前記植生帯上に取り付けられており、
これら保護部材をそれぞれ折り畳んだとき、隣り合う保護部材が互いに重なり合うように折り畳み可能であることを特徴とする植生部材。
【発明の詳細な説明】
【技術分野】
【０００１】
本発明は、植生植物の植生を保護する空間を形成するための保護部材及び当該保護部材を使用した植生部材に関する。
【背景技術】
【０００２】
自然破壊防止や景観保持のため、法面や平地などの植生領域に植物を植生するには、植物を植生するための植生帯を植生領域に設置するのが一般的である。しかし、植生帯の設置場所が山奥深く入った道路の法面等であって、鹿などの野生動物が出没する地帯では、植生帯に植生された植物が野生動物に食い荒らされるといった食害被害が頻繁に起こっている。つまり、野生動物が植生領域に侵入して、生え揃ってきた植生植物の芽を食い荒らしたり、踏みつけることによって、植生植物が枯れたり、成長不良を起こしたりして、植生領域に十分な植生を行えなくなってしまうという問題があった。
【０００３】
従来、このような野生動物による食害を防止するために、野生動物に対して忌避材を使用する方法が提案されていた。例えば、特許文献１では、植生基材又は植生基材を収容した植生袋に忌避機能を有するように構成している。しかし、忌避材が風雨により流亡してしまったり、植生植物自体によって無力化されてしまったりする可能性が非常に高いので、この忌避機能を長期に亘って維持することは困難であると思われる。
【０００４】
これに対して、特許文献２には、草食動物による食害防止装置Ａが開示されている。本願に添付の図９に示すとおり、食害防止装置Ａは、食害防止植生材保護エリア１を網状体２によって覆い、この網状体２は、スペーサ３を介して保護エリア１から浮かせた状態で配置されている。即ち、網状体２で植生植物を覆うことによって、鹿などの野生動物が植物を網状体２の上から食べることを防止している。
【先行技術文献】
【特許文献】
【０００５】
【特許文献１】特開２００７−２０４５９号公報
【特許文献２】特開２００４−７３１９２号公報
【発明の概要】
【発明が解決しようとする課題】
【０００６】
しかしながら、特許文献２の食害防止装置で植生領域を形成するには、まず、植生領域に植生帯を設置した後に当該植生帯上にスペーサを設置し、且つ、設置されたスペーサの上に網状体を張らなくてはならなかった。即ち、食害を保護しつつ植生領域を形成するための施工は、３工程をも必要とする複雑な作業であり、作業時間がかかることが問題であった。
【０００７】
本発明は、上記欠点を解決するためになされたものであり、その目的は、植生植物を保護するための植生保護空間を形成するために、植生領域（又は植生帯）に容易に設置可能な保護部材、及び、前記保護部材により保護された植生領域を容易に形成可能な植生部材を提供することにある。
【課題を解決するための手段】
【０００８】
本発明の一形態の保護部材は、植生帯上に植生保護空間を形成するための保護部材であって、前記植生帯上に設置される少なくとも２つの保護パネルを組み合わせてなり、前記少なくとも２つの保護パネルと前記植生帯との間に前記植生保護空間を区画形成可能であることを特徴とする。
【０００９】
本発明の一形態の保護部材は、上記発明の保護部材において、前記少なくとも２つの保護パネルのうち一方の保護パネルと他方の保護パネルとは回動可能に連結されており、この連結部を軸として前記保護パネルを回動させることにより、前記保護パネル同士が互いに重なるように折り畳み可能であることを特徴とする。
【００１０】
本発明の一形態の保護部材は、上記発明の保護部材において、当該保護部材と別の保護部材とを回動可能に連結するための連結手段をさらに備えていることを特徴とする。
【００１１】
本発明の一形態の植生部材は、植生を行う植生帯と、上記発明の保護部材を備えてなることを特徴とする。
【００１２】
本発明の一形態の植生部材は、植生を行う植生帯と、上記発明の保護部材とを備えてなり、この保護部材は、前記植生帯上に複数取り付けられており、これら保護部材をそれぞれ折り畳んだとき、隣り合う保護部材が互いに重なり合うように折り畳み可能であることを特徴とする。
【発明の効果】
【００１３】
本発明の一形態の発明によれば、保護部材は、少なくとも２つの保護パネルを組み合わせてなり、保護パネルが植生帯上に設置されることで、２つの保護パネルと植生帯との間に植生保護空間が形成可能である。即ち、植生保護空間内にある植物又は植物の一部を、野生動物による食害又は踏み付け等による損傷から保護することができる。さらに、各保護パネルの一辺を植生帯に取り付けるだけで、保護部材を植生帯に取り付けることができるので、植生保護空間を植生帯上に簡単且つ迅速に形成することが可能である。即ち、施工における作業性を改善する。
【００１４】
本発明の一形態の発明によれば、一方の保護パネルが他方の保護パネルに対して回動可能に連結されていることにより、一方の保護パネルと他方の保護パネルとがなす角度を調整することで、保護部材によって形成される植生保護空間の高さを任意に変更することが可能である。また、保護パネルを回動させて、保護パネル同士が互いに重なるように折り畳むことで、出荷、輸送又は保管などの状況に応じて、保護部材をコンパクトな折り畳み形態に変形させることができる。
【００１５】
本発明の一形態の発明によれば、保護部材同士が回動可能に連結するための連結手段を備えていることによって、複数の保護部材が連なる連結体を構成することができる。この連結体は、隣接する折り畳み形態の保護部材同士を回動させて折り畳むことで、全体としてコンパクトな形態に変形可能である。そして、このコンパクトな形態から複数の保護部材を植生帯上に設置するときには、連結体の一端側を植生帯に固定した上で連結体を他端側に引っ張って展開することにより、複数の保護部材を植生帯上の所定の設置位置に一度に配置することができる。従って、複数の保護部材を植生帯上に容易且つ迅速に設置することができる。
【００１６】
本発明の一形態の発明によれば、上記保護部材の効果を植生部材として発揮することができる。従って、植生帯に植生された植生植物を、野生動物による食害又は踏み付け等による損傷から保護することができる。また、植生帯及び保護部材を植生領域に同時に設置することができる。即ち、請求項３に係る植生部材では、植生帯を植生領域に展開するという１工程のみを実施すれば、植生領域への植生と、植生植物の保護の両方を行うことができる。従って、本発明は植生領域への植生とその保護を容易且つ迅速に行うことを可能にする。
【００１７】
本発明の一形態の発明によれば、上記保護部材の効果に加えて、植生部材自体が折り畳み可能であるので、出荷、輸送又は保管などの状況に応じて、植生部材をコンパクトな折り畳み形態に変形させることができる。
【図面の簡単な説明】
【００１８】
【図１】本発明の一実施形態の植生部材が植生領域に設置されている状態を示す全体斜視図。
【図２】図１の植生部材の保護部材を示し、（ａ）はその全体斜視図、（ｂ）はその平面図、（ｃ）はその正面図、（ｄ）は折り畳み形態の正面図。
【図３】図１の植生部材の部分拡大正面図であって、（ａ）は保護部材が角度α１で植生帯上に設置されている状態、（ｂ）は保護部材が角度α２で植生帯上に設置されている状態。
【図４】図１の植生部材の概略正面図を示し、（ａ）は部分的に折り畳まれた形態、（ｂ）は完全な折り畳み形態、（ｃ）は別の部分的に折り畳まれた形態。
【図５】（ａ）は本発明の一実施例における保護部材の側面図であり、（ｂ）は（ａ）の保護部材を備える植生部材の側面図。
【図６】本発明の一実施例における保護部材の全体斜視図。
【図７】本発明の一実施例における保護部材の全体斜視図。
【図８】（ａ）は、本発明の一実施例における保護部材の全体斜視図であり、（ｂ）は当該保護部材の折り畳み形態を示す正面図。
【図９】先行技術の食害防止装置を示し、（ａ）はその部分斜視図、（ｂ）はその縦断面図。
【発明を実施するための形態】
【００１９】
以下、本発明の実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００２０】
（実施例１）
図１は、本発明の一実施形態の植生部材１００が植生領域Ｑに設置されている状態を示しており、複数の植生部材１００（１００−１、１００−２、１００−３）が、例えば道路などの法面Ｑに略平行に並んで設置されている。植生部材１００は、植生植物Ｐが植生された長手状の植生帯１０と、植生帯１０上に連結（固定）された複数の保護部材２０とを備える。各保護部材２０同士は連結手段２０１で回動可能に連結されており、全体として連結体２００を構成している。なお、各保護部材２０の底辺と植生帯１０の表面とは、リング、針金、アンカー又は接着剤などの固定手段（図示せず）で固定されている。
【００２１】
図１に示すとおり、植生帯１０と保護部材２０とで略三角形状の開口１０１が形成され、当該開口１０１が植生帯１０の幅方向両側に開口するような態様で、複数の保護部材２０が近接して植生帯１０上に設置されている。なお、当該開口１０１の内部が植生植物Ｐを保護するための植生保護空間Ｒに該当する。
【００２２】
本発明はこの実施形態に限定されない。例えば、開口１０１が植生帯１０の長手方向両側に開口するような態様で、保護部材２０を植生帯１０上に設置することも可能である。また、各保護部材２０間の距離を離して設置することも可能である。さらに、図１では、植生部材１００が、斜面の接線（斜面の傾きに沿った傾斜線）と略直交するように植生領域Ｑに設置されているが、斜面の接線に沿って植生領域Ｑに設置することも可能である。即ち、保護部材を植生帯上に任意に設置するとともに、植生部材を植生領域に任意に設置することが可能である。
【００２３】
そして、図１に示すように、野生動物が出没する地帯では、鹿Ｄのような野生動物が植生帯１０に植生された植物Ｐを食べるために、植生部材１００に対して近寄ってくる。なお、植生帯１０については一般的なものが採用でき、肥料や植生植物の種子を含んだものであってもよい。また、野生動物は鹿Ｄに限定されず、猪、猿など草食又は雑食動物が含まれる。
【００２４】
図２（ａ）〜（ｃ）に示すとおり、保護部材２０は、平面視略矩形状及び正面視略逆Ｖ字形状であり、矩形平板状のほぼ同一形状を有する第１保護パネル２１ａと第２保護パネル２１ｂとからなる。当該保護部材２０は、ヒンジ状又は蝶番状の連結部２２を介して２つの保護パネル２１ａ及び２１ｂ（以下、第１保護パネル２１ａ、第２保護パネル２１ｂと示す）を連結することによって構成されている。
【００２５】
図２（ｂ）に示すとおり、各保護パネル２１ａ、２１ｂは、それぞれ４つの辺２３ａ、２３ｂを有する矩形平板状のパネルであり、複数の線材２４ａ、２４ｂが対向する２つの辺の間に架設されている。複数の線材２４ａ、２４ｂは所定間隔ｄで略平行に並設されており、この間隔ｄは、鹿などの野生動物の身体の一部（例えば、口先、頭部、脚部など）が通過して植生植物に当接できないように十分狭く設定されている。また、当該線材２４ａ、２４ｂはその上に野生動物が乗ってもその動物の重さによって撓まない程度の剛性を有する部材（本実施例では鋼材）からなる。このように複数の線材２４からなる保護パネル２１ａ、２１ｂは、「柵状枠体」の形状をなしている。
【００２６】
図２（ｃ）に示すとおり、第１保護パネル２１ａと第２保護パネル２１ｂとで角度αをなし、その下端側が開放されている。そして、開放端（植生帯１０が配置される面）から高さＨを有する。角度αは可変であり、角度αの変化に伴い高さＨも変化しうる。後述するように、開放端と保護パネル２１ａ、２１ｂとの間に植生保護空間Ｒを形成し、高さＨが植生保護空間Ｒの高さに対応する。
【００２７】
そして、連結部２２において、第１保護パネル２１ａの線材２４ａの先端にリング状の複数の連結リング２２ａが形成されており、当該複数の連結リング２２ａ内を第２保護パネル２１ｂの一辺２３ｂが貫通することによって、第１保護パネル２１ａと第２保護パネル２１ｂとが連結部２２を軸として回動可能に連結されている。さらに、保護部材２０の第２保護パネル２１ｂ側の端部から、連結手段２０１を構成するリング状（又はフック状）の突出部２６が突出している。後述するように、当該突出部２６が他の保護部材２０の第１保護パネル２１ａ側の端部の辺２３ａと回動可能に連結されることにより、保護部材２０同士を連結する。
【００２８】
図２（ｄ）に示すとおり、第１保護パネル２１ａと第２保護パネル２１ｂの両方又はいずれか一方を他方の保護パネル２１に対して近づけるように回動させることで、第１保護パネル２１ａと第２保護パネル２１ｂとが重なり合って、保護部材２０はコンパクトな平板状に折り畳まれる。
【００２９】
なお、本実施形態では、保護部材２０の線材２４ａ、２４ｂは、剛性を有する直線状の鋼材からなるが、本発明において、材質及び形状はこれに限定されない。例えば、線材をプラスチック又は合成樹脂の材料とすることができる。または、剛性を有さない材料で構成することも可能である。
【００３０】
図３（ａ）（ｂ）は、植生植物Ｐが植生されている植生部材１００の部分拡大正面図である。隣接する保護部材２０同士は、連結手段２０１を介して互いに回動可能に連結されている。なお、本実施形態では、連結手段２０１は、連結部２２と同様のヒンジ構造又は蝶番構造を有するが、回動可能に連結可能であればこれに限定されない。そして、保護部材２０の各保護パネル２１ａ、２１ｂの下端に位置する辺２３ａ、２３ｂがそれぞれ植生帯１０の表面にアンカー（図示せず）によって固定されている。それによって、保護部材２０によって植生帯１０上に植生保護空間Ｒを形成している。野生動物はその口先、頭部、脚部などを保護部材２０内に通過させることはできないので、植生保護空間Ｒ内にある植生植物Ｐを保護することができる。
【００３１】
図３（ａ）では、保護部材２０は角度α１を有し、第１保護パネル２１ａと第２保護パネル２１ｂとで植生帯１０上に高さＨ１、幅Ｗ１を有する植生保護空間Ｒを形成している。即ち、Ｈ１までの高さの植物Ｐを食害から保護することができる。
【００３２】
他方、図３（ｂ）では、保護パネル２１ａ、２１ｂ間の角度をα１よりも小さいα２となるように、保護部材２０が植生帯１０に設置されている。保護部材２０は、高さＨ２（＞Ｈ１）及び幅Ｗ２（＜Ｗ１）を有し、高さＨ１よりも高い植物を保護することができる。このとき、Ｗ２＜Ｗ１なので、より多くの保護部材２０が植生帯１０に設置される。従って、使用者は、植生すべき植物Ｐの種類等に応じて、保護パネル２１間の角度αを調整することで、植生保護空間Ｒの高さＨを変更することができる。なお、植生保護空間Ｒの高さＨ＝保護パネルの辺Ｌ×ｓｉｎ（（１８０°−α）／２）で表される。
【００３３】
なお、図３（ａ）及び（ｂ）に示すとおり、植生植物Ｐの先端は、保護パネル２１の線材２４の隙間からはみ出しており、野生動物は植生植物Ｐの先端部を食べたり踏みつけたりすることが可能である。しかしながら、植生植物Ｐは、その根元又は根が損傷されずに残っていれば再生可能であり、該植生植物Ｐの根元又は根は保護部材２０で構成される植生保護空間Ｒ内に位置している。つまり、野生動物が植生植物Ｐの先端部を食べたとしても植生植物Ｐへの影響は少ない。従って、図３（ａ）及び（ｂ）に示す植生部材１００において、保護部材２０は食害によって植生植物Ｐが枯れることから植生植物Ｐを保護している。
【００３４】
図４（ａ）は、図１の複数の保護部材２０が設置された植生部材１００が部分的に折り畳まれた形態を示し、図４（ｂ）は完全に折り畳まれた形態の植生部材１００を示している。植生帯１０は表面１０ａ及び裏面１０ｂを有しており、複数の保護部材２０が植生帯１０の表面１０ａに固定されている。
【００３５】
図４（ａ）に示すとおり、各保護部材２０の第１保護パネル２１ａ及び第２保護パネル２１ｂを矢印Ｘの方向に回動させると、それに伴い植生部材１０が下方（又は上方（図４（ｃ）参照））に撓み変形する。そして、連結体２００の連結手段２０１を軸として保護部材２０同士を折り畳み方向（矢印Ｙ）に回動させると、図４（ｂ）に示すとおり、隣接する保護部材２０が重なり合い、且つ、植生帯１０も同様に折り畳まれて、植生部材１００全体がコンパクトな折り畳み形態に変形する。なお、図４（ｃ）に示すとおり、植生帯１０を上方にも折り畳むことができ、輸送又は保管等の状況に応じて任意に折り畳み形態を選択することができる。
【００３６】
そして、図４（ｂ）の折り畳み形態から、植生部材１００を植生領域Ｑに設置するには、植生部材１００の一端（左端又は右端）の保護部材２０を開方向に展開し、当該植生部材１００の一端を植生領域Ｑにアンカーなどで固定した上で、植生部材１００を長手方向の他端側に引っ張っていくと、植生部材１００は平面状に展開され、図１のように植生部材１００を植生領域Ｑ上に設置することができる。なお、植生部材１００の出荷時に折り畳み形態とることが多く、植生帯１００には未発芽の種Ｓが埋め込まれている。
【００３７】
なお、本発明は上述の実施形態に限定されず、保護部材同士が連結手段で連結されていなくても、保護部材と保護部材との間で植生帯を折曲することによって、図４（ａ）〜（ｃ）のように植生部材を折り畳み形態に変形させることが可能である。
【００３８】
以下、本発明の一実施形態の保護部材２０及び（該保護部材２０を備える）植生部材１００の作用効果について説明する。
【００３９】
本実施形態の保護部材２０を植生植物Ｐが植生される植生帯１０に設置することで、保護パネル２１ａ及び２１ｂの各線材２４ａ及び２４ｂの間隔ｄが鹿Ｄなどの野生動物の身体の一部が入らないように十分小さく設定されているので、野生動物は植生保護空間Ｒ内の植生植物Ｐに接触することができず、野生動物による食害を防ぐことができる。また、保護部材２０は第１保護パネル２１ａと第２保護パネル２１ｂとからなるので、各保護パネル２１ａ、２１ｂの開放端側の一辺２３ａ、２３ｂを植生帯１０にアンカー等で取り付ける工程だけで、保護部材２０を植生帯１０上に設置することができる。従って、複数の保護部材２０を植生帯１０上に容易且つ迅速に設置することができる。
【００４０】
本実施形態の保護部材２０では、連結部２２を軸として保護パネル２１ａ、２１ｂを回動させて折り畳むことができるので、出荷、輸送又は保管などの状況に応じて、保護部材２０をコンパクトな折り畳み形態に変形させることができる。また、保護部材２０を植生帯１０上に設置するときに、保護パネル２１ａと保護パネル２１ｂとの角度αを調整することで、植生保護空間Ｒの高さＨを調整することができる。即ち、植生植物の種類又は植生に必要な高さに応じて、植生保護空間Ｒの高さＨを簡単に変更することができる。さらに、保護部材２０を植生帯１０に複数近接して並べた場合に、角度αを鋭角にすればするほど野生動物が乗るための足場がなくなっていき、野生動物を植生領域内に侵入することを防止するという効果を奏することも考えられる。
【００４１】
本実施形態の保護部材２０において、両保護パネル２１ａ、２１ｂを連結するための連結部２２（連結リング２２ａ及び辺２３ｂ）が保護パネル２１ａ、２１ｂに一体的に形成されている。即ち、保護部材２０を構成する部材は、第１保護パネル２１ａ及び第２保護パネル２１ｂのみであり、保護部材２０は非常に簡易な構造を有し、従来のものよりも容易に且つ低コストで製造可能である。
【００４２】
特許文献２のような従来の食害防止装置では、鹿などの野生動物が植生領域に侵入して食害防止装置の網状体の上に乗ると、野生動物の重みによって網状体が撓むことが考えられる。この網状体の撓み部分から外に出た植生植物の一部が野生動物によって食べられてしまう虞がある。さらに、網状体が撓んで、網状体と植生植物とが当接することよって、植物の幹をへし折ったり、芽がちぎれたりして、植生植物に損傷を与える虞がある。これに対して、本実施形態の保護部材２０では、線材２４ａ、２４ｂが剛性を有していることにより、保護パネル２１ａ、２１ｂは保護部材２０上に乗った鹿Ｄの重みで撓み変形しないように構成されている。つまり、植生植物Ｐ１が線材２４ａ、２４ｂの撓みによって部分的に保護パネル２１ａ、２１ｂ上に露出されて食べられてしまうことを防ぎ、且つ、撓んだ線材２４ａ、２４ｂが植生植物に当接して損傷させることを防ぐことができる。
【００４３】
また、本実施形態の保護部材２０において、各保護部材２０同士が連結手段２０１で回動可能に連結され、連結体２００を構成していることで、保護パネル２１ａ、２１ｂを重ね合わせた状態の隣接する保護部材２０同士を回動させて、連結体２００自体をコンパクトな折り畳み形態に変形させることができる。従って、複数の保護部材２０を連結体２００としてコンパクトな形態で出荷、輸送又は保管等することができる。また、複数の保護部材２０を植生帯１０上に設置する場合には、一端側の保護部材２０を植生帯１０上に固定した上で連結体２００を他端側に展開すると、各保護部材２０を植生帯１０上の所定の設置位置に一度に配置することができる。従って、植生帯１０への複数の保護部材２０の設置を容易且つ迅速に行うことができる。
【００４４】
本実施形態の植生部材１００は、保護部材２０によって、植生帯１０に植生された植生植物Ｐを野生動物による食害や踏み付け等から保護することができる。特に、若芽や種子から発芽したばかりの植生植物Ｐは、外部からの影響に弱く、食害などにより損傷を受けたら容易に枯れてしまうが、本実施形態の植生部材１００では、種子や若芽の状態の植生植物Ｐを野生動物から保護部材２０で保護しつつ、種子から植生保護空間Ｒの高さＨ付近にまで安全に成長させることができる。
【００４５】
また、本実施形態の植生部材１００では、植生帯１０に複数の保護部材２０が固定されており、植生帯１０及び複数の保護部材２０を同時に植生領域Ｑに設置することができるので、植生領域Ｑを植生するための施工を容易且つ迅速に行うことができる。特に植生領域Ｑが急な斜面を有する法面である場合には、先行技術（特許文献２）のように植生帯を法面に配置した後にアンカー等で食害防止装置を植生帯上に複数固定する作業は、危険性を伴う困難なものであり、なお且つ、非常に時間及びコストがかかるものである。これに対して、本実施形態の植生部材１００では、植生部材１００の植生帯１０を法面に設置するだけで、植生帯１０と同時に複数の保護部材２０をも植生領域Ｑに設置可能である。即ち、設置作業が困難な状況においても、施工の容易化及び迅速化を実現する。
【００４６】
さらに、図４で説明したとおり、本実施形態の植生部材１００は、折り畳み形態から平面状の展開形態に相互に変形可能である。つまり、必要に応じて、植生部材１００を輸送及び収納に有利なコンパクトな形態に変形させることができる。そして、図１のように植生領域Ｑに植生部材１００を設置する際には、折り畳み形態から展開形態に簡単且つ迅速に変形可能であり、植生部材１００を植生領域Ｑに容易且つ迅速に設置することができる。特に、急な傾斜を有する法面に植生するときには、折り畳み形態において、植生部材１００の一端側を法面の高所に固定して、植生部材１００の他端側を低所側へと引っ張るように展開すると、法面の高所から低所にかけて植生部材１００で植生領域Ｑを簡単に覆うことができる。
【００４７】
なお、本発明は上述の一実施形態に限定されない。以下に本発明の実施例１の構成を一部変更した実施例２〜６を示すが、実施例２〜６は、実施例１と共通する構成において、上述の作用効果を奏するものであることは言うまでもない。
【００４８】
（実施例２）
本発明の保護パネルにおいて、実施例１の第１保護パネルと第２保護パネルとはほぼ同一の形状を有しているが、本発明はこれに限定されず、その大きさの比率を任意に設定することが可能である。例えば、実施例２として、図５（ａ）に保護部材２０Ａを示す。保護部材２０Ａは、正面視において、第１保護パネル２１ａＡの辺２３ａＡの方が、第２保護パネル２１ｂＡの辺２３ｂＡよりも長くなるように構成されている。
【００４９】
図５（ｂ）は、傾斜角θを有する法面Ｑに設置された植生部材１００Ａを示す。ここで、第１保護パネル２１ａＡと植生帯１０Ａとの角度をβとする。図５（ｂ）に示すとおり、急な斜面を有する植生領域Ｑに植生部材１００Ａを設置すると、斜面の下側に位置する第１保護パネル２１ａＡの上では、法面Ｑの傾斜面よりもさらに急な傾斜面（傾斜角＝θ＋β）を形成する。そして、第１保護パネル２１ａＡの辺２３ａＡの方が第２保護パネル２１ｂＡの辺２３ｂＡよりも長いので、斜面における第１保護パネル２１ａＡにより形成される傾斜面が占める割合が実質的に大きくなる。つまり、法面Ｑの傾斜角θよりも急な傾斜面を植生保護空間Ｒの上に形成することができるので、野生動物が植生領域内に侵入する頻度を減少させることができる。
【００５０】
（実施例３）
本発明の保護パネルにおいて、実施例１の保護パネル２１は矩形平板形状を有しているが、本発明はこれに限定されず、その形状を任意に設定することが可能である。例えば、実施例３として、図６に保護部材２０Ｂを示す。当該保護部材２０Ｂは、上方に膨らむように湾曲した保護パネル２１ａＢ、２１ｂＢから構成され、これも湾曲した「柵状枠体」の形状をなしている。実施例１の保護部材２０と比較すると、折り畳み形態において嵩張るが、正面視における中心（連結部２２Ｂ）からの左右方向への高さの変化（減少）をより緩やかにすることができ、全体としてより高い植生保護空間を形成することが可能である。
【００５１】
（実施例４）
本発明の保護パネルにおいて、実施例１の保護パネル２１は剛性の線材２４を備えてなるが、本発明はこれに限定されない。例えば、図７に示すとおり、保護部材２０Ｃを保護パネル２１ａＣ、２１ｂＣが網材２４Ｃからなるように構成することも可能である。つまり、当該保護部材２０Ｃは、「格子状枠体」の形状をなしており、実施例１の保護部材２０と共通する構成において、同様の作用効果を奏しつつ本発明の課題を解決するものである。
【００５２】
（実施例５）
図８（ａ）に示すとおり、保護パネル２１ａＤ、２１ｂＤが複数のパネルに分割されるように保護部材２０Ｄを構成することも可能である。当該保護部材２０Ｄでは、第１保護パネル２１ａＤは、分割体２１−１ａＤと分割体２１−２ａＤと分割体２１−３ａＤとに分割され、各々がヒンジ状又は蝶番状の接続部２５−１ａＤ、２５−２ａＤを介して回動可能に接続されている。図８（ａ）の展開された形態において、これら分割体同士は、クランプなどの固定手段（図示せず）により１平面になるように固定されている。図示のとおり、第２保護パネル２１ｂＤも第１保護パネル２１ａＤと同様に構成されている。そして、図８（ｂ）に示すように、両保護パネルの各分割体間の固定を解除し、各分割体同士をその接続部を軸として回動させて重ね合わせるとともに、連結部２２Ｄを軸として各保護パネル同士を重ね合わせることで、保護部材２０Ｄを折り畳み形態に変形させることが可能である。従って、当該保護部材２０Ｄ又は保護部材２０Ｄを備える植生部材（図示せず）は、出荷、輸送又は保管などの状況に応じて、さらにコンパクトに折り畳み変形可能である。
【００５３】
（実施例６）
実施例１〜５において、各保護パネル同士が回動可能に連結されているが、本発明はこれに限定されない。即ち、本発明の保護部材は、保護パネル同士が回動不能に連結固定されていても、植生領域（又は植生帯）に容易且つ迅速に設置し、植生保護空間を形成することが可能であり、本発明の課題を解決することができる。また、保護部材同士が回動可能に連結されていることに本発明は限定されない。例えば、保護部材同士を連結しないで（連結体を構成しないで）、各保護部材を所定間隔で植生帯に設置することも可能である。言うまでもないが、この形態の植生部材（又は保護部材）も植生領域（又は植生帯）に容易且つ迅速に設置して植生保護空間を形成することが可能であり、本発明の課題を解決することができる。
【００５４】
なお、本発明は上述した複数の実施例に限定されるものではなく、本発明の技術的範囲に属する限りにおいて種々の態様で実施しうるものである。
【符号の説明】
【００５５】
１０        植生帯
２０        保護部材
２１ａ      第１保護パネル
２１ｂ      第２保護パネル
２２        連結部
２４ａ      線材
２４ｂ      線材
１００      植生部材
２００      連結体
２０１      連結手段
Ｄ          鹿（野生動物）
Ｐ          植生植物
Ｑ          植生領域
Ｒ          植生保護空間
【００５６】
［付記］
本願発明に関する好ましい限定を以下に列挙する。
（イ）請求項１〜４における「保護パネル」が柵状又は格子状の枠体として構成されていること。
柵状又は格子状の枠体であることで、必要十分な通風（通気性）及び通光性を確保でき、動物による食害防止と、植物の育成との両立を図ることができる。
【図１】
0005266293.tif 000002
【図２】
0005266293.tif 000003
【図３】
0005266293.tif 000004
【図４】
0005266293.tif 000005
【図５】
0005266293.tif 000006
【図６】
0005266293.tif 000007
【図７】
0005266293.tif 000008
【図８】
0005266293.tif 000009
【図９】
0005266293.tif 000010